(57)【要約】【課題】接続する機器が発するノイズの影響を軽減して受信感度を向上させることが可能な受信装置を提供する。【解決手段】受信装置１は、ＵＳＢコネクタ１１、チューナ１２、受信アンテナ１３及び付加アンテナ３を備えている。付加アンテナ３は、ＵＳＢコネクタ１１と受信アンテナ１３との間に位置し、かつ、アンテナ長Ｌが可変である。この付加アンテナ３により、受信アンテナ１３の周波数特性が変更され、ディップ点が現れる。そして、付加アンテナ３のアンテナ長Ｌを変えると、受信アンテナ１３のディップ点が現れる周波数が変わる。受信アンテナ１３で受信したい電波の周波数に対応したアンテナ長Ｌとなるように付加アンテナ３を調整すると、受信アンテナ１３の受信感度を改善することができる。【選択図】図１
2008219840.tif 000002
【特許請求の範囲】
【請求項１】
機器との連結が可能に構成され、当該機器に連結されると当該機器との電気的な接続を担うコネクタと、
前記機器に前記コネクタを介して出力する信号を受信する受信アンテナと、
前記コネクタと前記受信アンテナとの間に位置し、当該受信アンテナの周波数特性を変更する付加アンテナと、
を含む受信装置。
【請求項２】
前記付加アンテナは、アンテナ長を可変に構成されていることを特徴とする請求項１に記載の受信装置。
【請求項３】
前記付加アンテナは、ヘリカルアンテナと当該ヘリカルアンテナに電気的に又は高周波的に接続されて伸縮可能なロッドアンテナとからなることを特徴とする請求項１に記載の受信装置。
【請求項４】
前記付加アンテナは、前記受信アンテナが受信する所定の電波の周波数に対応する長さに段階的に可変であることを特徴とする請求項１に記載の受信装置。
【請求項５】
前記付加アンテナのアンテナ長を変更することによって、当該付加アンテナが位置する方向とは反対の方向における前記受信アンテナのディップ点の周波数を変えることを特徴とする請求項１に記載の受信装置。
【請求項６】
ノイズ源を有する機器にコネクタを介して電気的に接続される装置本体と、
前記装置本体から突出して配設され、所定の電波を受信する受信アンテナと、
前記受信アンテナが前記装置本体から突出する位置よりも前記コネクタに近い位置で突出して配設され、当該受信アンテナの周波数特性を変更する付加アンテナと、
を含む受信装置。
【請求項７】
装置本体と、
ノイズ源を有する機器に前記装置本体を電気的に接続するためのコネクタと、
前記装置本体から突出して配設され、前記コネクタを介して電気的に接地される付加アンテナと、
前記付加アンテナよりも前記コネクタと離間して位置して電波を受信し、かつ、当該付加アンテナにより周波数特性が変わる受信アンテナと、
を含む受信装置。
【請求項８】
前記付加アンテナは、アンテナ長が不変に構成されていることを特徴とする請求項７に記載の受信装置。
【発明の詳細な説明】
【技術分野】
【０００１】
本発明は、例えばパーソナルコンピュータ等の電子機器に接続して用いる受信装置に関するものである。
【背景技術】
【０００２】
パーソナルコンピュータ（以下、パソコンと略称する）においては、チューナを備え、ＴＶ放送を受信できるようにしたものがある。このようなチューナ付のパソコンでは、外部にアンテナを設け、このアンテナで受信したＴＶ信号をチューナにより選局して表示装置に表示している（例えば、特許文献１参照）。
【０００３】
この特許文献１には、キーボードと、このキーボードに連結されるとともに上方に設けられた表示部とから成るパーソナルコンピュータと、このパーソナルコンピュータ内に設けられたテレビ受信部とを備えた構成が開示されている。そして、特許文献１には、テレビ受信部は、同調アンテナに接続されたチューナ部と復調部を有し、このテレビ受信部の出力は信号処理回路で処理され、パーソナルコンピュータの表示部に接続されるとともに、同調アンテナは表示部の上方に配置される構成が開示されている。
【０００４】
【特許文献１】特開２００３−１７９８３２号公報
【発明の開示】
【発明が解決しようとする課題】
【０００５】
ところが、このようなテレビ受信部を備えているパソコンは未だ一部であり、その多くのパソコンには、テレビ受信部が備わっていない。その一方で、地上波のＵＨＦ帯を使用して開始された地上デジタル放送が開始され、携帯情報端末で受信してもきれいな映像で視聴できるようになっている。このような環境下で、パソコンのコネクタに接続して用いる受信装置がユーザに提供されている。この受信装置は、受信アンテナ及びチューナを有するので、テレビ受信部が備わっていないパソコンでも、パソコンの画面でテレビ放送を視聴することが可能になる。
【０００６】
ここで、パソコン自体がノイズ発生源になることから、従来の受信装置をパソコンのコネクタに接続すると、そのノイズの影響が受信アンテナに与え、受信感度を低下させてしまう。しかしながら、従来から提案されている技術では、このような受信感度の低下に対して十分な対策を行うことができていない。
【０００７】
本発明は、以上のような技術的課題を解決するためになされたものであり、その目的とするところは、接続する機器が発するノイズの影響を軽減して受信感度を向上させることが可能な受信装置を提供することにある。
【課題を解決するための手段】
【０００８】
かかる目的のもと、本発明が適用される受信装置は、機器との連結が可能に構成され、当該機器に連結されると当該機器との電気的な接続を担うコネクタと、前記機器に前記コネクタを介して出力する信号を受信する受信アンテナと、前記コネクタと前記受信アンテナとの間に位置し、当該受信アンテナの周波数特性を変更する付加アンテナと、を含むものである。
【０００９】
ここで、前記付加アンテナは、アンテナ長を可変に構成されていることを特徴とすることができる。また、前記付加アンテナは、ヘリカルアンテナと当該ヘリカルアンテナに電気的に又は高周波的に接続されて伸縮可能なロッドアンテナとからなることを特徴とすることができる。また、前記付加アンテナは、前記受信アンテナが受信する所定の電波の周波数に対応する長さに段階的に可変であることを特徴とすることができる。また、前記付加アンテナのアンテナ長を変更することによって、当該付加アンテナが位置する方向とは反対の方向における前記受信アンテナのディップ点の周波数を変えることを特徴とすることができる。
【００１０】
他の観点から捉えると、本発明が適用される受信装置は、ノイズ源を有する機器にコネクタを介して電気的に接続される装置本体と、前記装置本体から突出して配設され、所定の電波を受信する受信アンテナと、前記受信アンテナが前記装置本体から突出する位置よりも前記コネクタに近い位置で突出して配設され、当該受信アンテナの周波数特性を変更する付加アンテナと、を含むものである。
【００１１】
更に本発明を別の観点から捉えると、本発明が適用される受信装置は、装置本体と、ノイズ源を有する機器に前記装置本体を電気的に接続するためのコネクタと、前記装置本体から突出して配設され、前記コネクタを介して電気的に接地される付加アンテナと、前記付加アンテナよりも前記コネクタと離間して位置して電波を受信し、かつ、当該付加アンテナにより周波数特性が変わる受信アンテナと、を含むものである。
【００１２】
ここで、前記付加アンテナは、アンテナ長が不変に構成されていることを特徴とすることができる。
【発明の効果】
【００１３】
本発明によれば、接続する機器が発するノイズの影響を軽減して受信感度を向上させることが可能になる。
【発明を実施するための最良の形態】
【００１４】
以下、添付図面を参照して、本発明の実施の形態について詳細に説明する。
図１は、本実施の形態に係る受信装置１をパソコン（パーソナルコンピュータ、情報処理装置）２に接続した状態を示す斜視図である。
図１に示すように、本実施の形態に係る受信装置１は、本体（装置本体）１ａに、ＵＳＢコネクタ１１、チューナ１２、受信アンテナ１３及び付加アンテナ３を備えている。そして、この受信装置１は、例えばパソコン２に接続して用いられる。なお、付加アンテナ３を伸縮可能なロッドアンテナで構成することが考えられる。
【００１５】
ＵＳＢコネクタ１１は、パソコン２のＵＳＢポート２１に接続するための部品である。すなわち、ＵＳＢコネクタ１１をＵＳＢポート２１に挿入すると、受信装置１とパソコン２側とが信号ケーブルＧＮＤ，Ｄ−，Ｄ＋，ＶBUSによって互いに接続される。これにより、受信装置１は、パソコン２から電源供給を受けることが可能になり、かつ、パソコン２のＣＰＵ（制御部、演算部）２２等との間で各種の情報の授受を行うことが可能になる。  ここにいうＵＳＢとは、コンピュータに周辺機器を接続するためのシリアルバス規格の一つであり、Universal Serial Busの略語である。
なお、パソコン２の記憶部２３には、受信装置１のチューナ１２を制御するためのアプリケーションが予め格納されている。この記憶部２３としては、例えばＨＤＤ、フラッシュメモリ、ＥＥＰＲＯＭ等の各種の記憶媒体で構成することができる。
【００１６】
チューナ１２は、受信アンテナ１３と接続されて構成されており、ＵＳＢコネクタ１１を介してパソコン２から供給される電力を用いて作動する。チューナ１２の構成については後述する。
【００１７】
付加アンテナ３は、チューナ１２のグランドに接続されている。すなわち、受信装置１がパソコン２に接続されると、付加アンテナ３は、ＵＳＢコネクタ１１を介してパソコン２側のグランドに接地される。
また、付加アンテナ３は、アンテナ長（電気的長さ）Ｌを変えることができるように構成されている。すなわち、付加アンテナ３は、アンテナ長Ｌが可変であり、その可変量は、伸縮量ΔＬである。このため、ユーザは、付加アンテナ３を伸縮量ΔＬの範囲内で短くしたり長くしたりすることが可能である。
【００１８】
更に説明すると、パソコン２には、稼動中にノイズの発生源（ノイズ源）となるものが数多くある。ノイズ源としては、例えば、ＣＰＵ２２の冷却用ファン、電源及び記憶部２３としてのＨＤＤの回転音やアクセス音等を挙げることができる。このような各種のノイズ源により、受信アンテナ１３の受信状態を悪化させてしまい、受信感度を低下させることになる。しかしながら、本実施の形態のように、受信装置１の受信アンテナ１３とパソコン２との間に付加アンテナ３を配置すると、付加アンテナ３は、放射器として作用し、これにより受信アンテナ１３の受信感度を改善することができる。これについては後述する。
【００１９】
図２は、受信装置１の受信アンテナ１３で受信した電波の処理を説明するためのブロック図である。
図２に示すように、チューナ１２は、物理チャンネルを選択し、信号増幅を行ってベースバンド信号を出力するＲＦ部１２１と、ベースバンド信号をデジタル変換するＡＤＣ１２２と、ベースバンド信号を復調してストリーム信号に変換するＦＦＴ１２３と、ストリーム信号を復号（デコード）してデジタルビデオ信号を出力する復号部１２４と、デジタルビデオ信号をアナログ変換して出力するＤＡＣ１２５と、を有する。ＤＡＣ１２５から出力されたアナログビデオ信号は、ＣＰＵ２２に入力される。
【００２０】
そして、パソコン２のＣＰＵ２２は、チューナ１２のシステム制御を行う。すなわち、ＣＰＵ２２は、ＲＦ部１２１に対し増幅度の制御及び周波数の設定を行い、ＦＦＴ１２３に対しガードインターバルの範囲でＦＦＴ解析区間の位置を調整し、復号部１２４に対しストリーム信号を映像に復号するための制御を行う。
【００２１】
そして、パソコン２のＣＰＵ２２が、受信装置１のＵＳＢコネクタ１１がＵＳＢポート２１に挿入されたことを検知すると、記憶部２３に予め格納されているアプリケーションを起動し、ユーザに指示されたチャンネルの地上デジタル放送（ワンセグ放送）を図示しないディスプレイ及びスピーカに出力する。このようにして、ユーザは所望の番組を視聴することができる。
【００２２】
図３は、図１に示すアンテナ構成を説明する概略構成図であり、（ａ）は、正面図であり、（ｂ）は、平面図である。
図３の（ａ）及び（ｂ）には、受信装置１の受信アンテナ１３と、この受信アンテナ１３と離間して配置された付加アンテナ３と、パソコン２が有する各種のノイズ源をアンテナとして仮想した場合のノイズ仮想アンテナ２０と、が示されている。すなわち、受信アンテナ１３とノイズ仮想アンテナ２０との間に、付加アンテナ３が配置されている。言い換えると、付加アンテナ３の位置は、受信アンテナ１３よりもノイズ仮想アンテナ２０に近い。付言すると、付加アンテナ３とＵＳＢコネクタ１１（図１参照）との離間距離は、受信アンテナ１３とＵＳＢコネクタ１１との離間距離よりも小さい。
【００２３】
また、図３の（ｂ）に示すように、受信アンテナ１３、付加アンテナ３及びノイズ仮想アンテナ２０は、互いに一直線状に配置されているものとする。そして、受信アンテナ１３と付加アンテナ３とは互いに距離Ｘ１だけ離間して配置され、受信アンテナ１３とノイズ仮想アンテナ２０とは互いに距離Ｘ２だけ離間して配置されているとする。
【００２４】
ここで、距離Ｘ１としては、例えば４０ｍｍとすることができ、また、距離Ｘ２としては、１００ｍｍとすることができる。また、ノイズ仮想アンテナ２０のグランドとしては、例えば２００ｍｍ×１２０ｍｍの銅板を使用することができる。
また、距離Ｘ１を例えば５ｍｍにして、受信アンテナ１３及び付加アンテナ３を一体に構成することも考えられる。また、付加アンテナ３を、電磁的に適切な効果を得ることができるように角度を変える構成も考えられる。
【００２５】
図４Ａ〜図４Ｃは、図３に示すアンテナ構成において付加アンテナ３のアンテナ長Ｌを変えた場合の受信アンテナ１３の受信レベルを示すグラフである。すなわち、図４Ａの（ａ）〜（ｃ）、図４Ｂの（ａ）〜（ｃ）及び図４Ｃは、アンテナ長Ｌ対効果周波数特性を示すグラフである。更に説明すると、各グラフは、ノイズ仮想アンテナ２０側（図１のパソコン２側）の特性を実線で示すと共にノイズ仮想アンテナ２０とは反対側の特性を破線で示している。各グラフの縦軸は、受信アンテナ１３が受信した電波をスペクトラムアナライザで測定したスペアナレベル（ｄＢμ）であり、横軸がその周波数（ＭＨｚ）である。
【００２６】
図４Ａにおいて、（ａ）は、付加アンテナ３のアンテナ長が１６０ｍｍ（Ｌ＝１６０ｍｍ）の場合の周波数特性を示し、（ｂ）は、付加アンテナ３のアンテナ長が１５０ｍｍ（Ｌ＝１５０ｍｍ）の場合の周波数特性を示し、（ｃ）は、付加アンテナ３のアンテナ長が１４０ｍｍ（Ｌ＝１４０ｍｍ）の場合の周波数特性を示している。また、図４Ｂにおいて、（ａ）は、付加アンテナ３のアンテナ長が１３０ｍｍ（Ｌ＝１３０ｍｍ）の場合の周波数特性を示し、（ｂ）は、付加アンテナ３のアンテナ長が１２０ｍｍ（Ｌ＝１２０ｍｍ）の場合の周波数特性を示し、（ｃ）は、付加アンテナ３のアンテナ長が１１０ｍｍ（Ｌ＝１１０ｍｍ）の場合の周波数特性を示している。また、図４Ｃは、付加アンテナ３のアンテナ長が１００ｍｍ（Ｌ＝１００ｍｍ）の場合の周波数特性を示している。
【００２７】
図４Ａの（ａ）に示すグラフでは、ノイズ仮想アンテナ２０側の周波数特性を示す実線のグラフにディップ点Ｄ１が確認でき、また、ノイズ仮想アンテナ２０とは反対側の周波数特性を示す破線のグラフにもディップ点Ｄ２が確認できる。
そして、ディップ点Ｄ１の位置とディップ点Ｄ２との位置とが互いに異なる。言い換えると、横軸については、ディップ点Ｄ１の周波数とディップ点Ｄ２の周波数とが互いに異なる。また、縦軸については、ディップ点Ｄ１のスペアナレベルとディップ点Ｄ２のスペアナレベルとが互いに異なり、具体的には、ディップ点Ｄ１のスペアナレベルは、ディップ点Ｄ２のスペアナレベルよりも大きい。
【００２８】
したがって、受信アンテナ１３（図３参照）がノイズ仮想アンテナ２０から受けるノイズの影響は、ディップ点Ｄ１の周波数で最少になる。すなわち、ディップ点Ｄ１の周波数においては、受信アンテナ１３は、ノイズ仮想アンテナ２０からのノイズの影響を抑制しつつ、受信電波を受信することが可能になる。このため、ディップ点Ｄ１の周波数における受信感度が向上する。
【００２９】
他のグラフについても同様のことが言える。すなわち、図４Ａの（ｂ）〜（ｃ）、図４Ｂの（ａ）〜（ｃ）及び図４Ｃの各グラフでも、互いに位置が異なるディップ点Ｄ１，Ｄ２を確認できる。
【００３０】
ここで、図５は、付加アンテナ３のアンテナ長Ｌとディップ点Ｄ１が現れる周波数との関係を示すグラフであり、縦軸が周波数（ＭＨｚ）、横軸が付加アンテナ３のアンテナ長Ｌ（ｍｍ）である。言い換えると、図５は、図４Ａ〜図４Ｃの各グラフにおいてディップ点Ｄ１が現れる周波数を示すグラフであり、ディップ点Ｄ１におけるアンテナ長Ｌ対効果周波数を示すグラフである。また、図５は、図３に示すアンテナ構成において付加アンテナ３のアンテナ長Ｌを変えた場合の受信アンテナ１３の受信レベルを示すグラフであるということもできる。
図５に示すように、付加アンテナ３のアンテナ長Ｌが変わると、ディップ点Ｄ１の位置が変わる。具体的には、アンテナ長Ｌが短くなると、ディップ点Ｄ１が現れる位置が周波数の高い側に移行し、アンテナ長Ｌが長くなると、ディップ点Ｄ１の位置が周波数の低い側に移っていく。このように、アンテナ長Ｌとディップ点Ｄ１の位置との間に相関関係を見出すことができる。
【００３１】
したがって、付加アンテナ３のアンテナ長Ｌを伸縮することで、受信アンテナ１３の周波数特性を変更することが可能になる。すなわち、付加アンテナ３のアンテナ長Ｌを、受信したい周波数に対応する長さになるように付加アンテナ３を伸縮させることにより、ノイズ仮想アンテナ２０のノイズの影響を低減して受信アンテナ１３の周波数特性を変更することができる。このように、付加アンテナ３のアンテナ長Ｌを調整することにより、受信アンテナ１３の受信感度を改善することができる。この意味において、付加アンテナ３をノイズ対策アンテナということができ、反射器ということができる。
なお、付加アンテナ３の長さを段階的に可変にすることができるように構成することが考えられる。この場合には、受信したい放送の周波数に対応する長さになるように付加アンテナ３に図示しない目印を付けておくことで、ユーザの使い勝手を向上させることができる。
【００３２】
また、図６は、図３に示すアンテナ構成において付加アンテナ３のアンテナ長Ｌを変えた場合のディップ点Ｄ１の周波数におけるスペアナレベルの比を示すグラフであり、縦軸が前後比（ｄＢ）、横軸が付加アンテナ３のアンテナ長Ｌ（ｍｍ）である。
図６は、図４Ａ〜図４Ｃの各々でのディップ点Ｄ１が現れる周波数における実線と破線とのスペアナレベルの比（前後比）を示すグラフである。付言すると、ここにいうスペアナレベルの比とは、ディップ点Ｄ１が現れる周波数においてノイズ仮想アンテナ２０側（図４Ａ〜図４Ｃの実線で図示）のスペアナレベルとノイズ仮想アンテナ２０とは反対側（図４Ａ〜図４Ｃの破線で図示）のスペアナレベルとの比をいい、受信アンテナ１３の周波数対前後比ともいうことができる。
図６に示すグラフによれば、アンテナ長Ｌがいずれの長さであっても、ノイズ仮想アンテナ２０側の方がノイズ仮想アンテナ２０とは反対側よりも大きいことが分かる。
【００３３】
ここで、比較例について説明する。図７は、付加アンテナ３を配置しない場合の受信アンテナ１３の受信レベルを示すグラフであり、縦軸がスペアナレベル（ｄＢμ）、横軸が周波数（ＭＨｚ）である。
図７に示すように、付加アンテナ３を配置しないと、図４Ａ〜図４Ｃに現れるディップ点Ｄ１，Ｄ２が存在しない。したがって、ノイズ仮想アンテナ２０からのノイズがそのまま受信アンテナ１３に影響し、受信感度を低下させることになる。
【００３４】
本実施の形態について説明したが、種々の変形例が考えられる。
図８は、第１の変形例に係る付加アンテナ４を説明する図であり、（ａ）は、付加アンテナ４を縮めた状態を示す図であり、（ｂ）は、付加アンテナ４を伸ばした状態を示す図である。
図８に示すように、付加アンテナ４は、コイルアンテナ４１とコイルアンテナ４１に電気的に又は高周波的に接続されたロッドアンテナ４２とからなる。コイルアンテナ４１は、アンテナ長Ｌ１であり、長さ固定である。ロッドアンテナ４２は、アンテナ長Ｌ２であり、長さ可変である。すなわち、ロッドアンテナ４２は、伸縮可能に構成されている。このため、ロッドアンテナ４２を伸縮させることにより、付加アンテナ４のアンテナ長Ｌの長さを変えることができる。このように、コイルアンテナ４１を用いると、付加アンテナ４の物理的長さを短くすることができる。
【００３５】
また、第２の変形例として、付加アンテナ４のアンテナ長Ｌを不変とする構成も考えられる。すなわち、本実施の形態では、付加アンテナ４のアンテナ長Ｌが可変である場合を説明したが、付加アンテナ４のアンテナ長Ｌを伸縮できないように構成しても良い。具体的に説明すると、受信アンテナ１３で受信する周波数帯に基づいて付加アンテナ４のアンテナ長Ｌを予め設定しておく。すなわち、付加アンテナ４のアンテナ長Ｌは、所望の周波数帯に対応した固定長である。
【００３６】
付加アンテナ４のアンテナ長Ｌを固定にした場合の受信感度の評価について説明する。
図９は、第２の変形例での測定条件を説明するための概略構成図である。
図９に示すように、受信アンテナ１３が送信アンテナ７５から所定距離（例えば１２ｃｍ）離間した位置に設置されている。そして、受信アンテナ１３には、測定器としてのスペクトラムアナライザ（以下、スペアナともいう）６１を接続し、また、送信アンテナ７５には、ＳＳＧ(Standard Signal Generator、標準信号発生器)７１を接続している。すなわち、送信アンテナ７５からノイズ（電波）を出力し、それを受信アンテナ１３で受信し、その受信状態をスペクトラムアナライザ６１で測定するように構成されている。そして、受信アンテナ１３の近傍には、変形例に係る付加アンテナ５が設置されている。
【００３７】
具体的に説明すると、受信アンテナ１３を図示しない保持具を用いて立設し、その下端を接続部６３を介して同軸ケーブル６２の一端に接続している。この同軸ケーブル６２の他端をスペクトラムアナライザ６１に接続している。また、同軸ケーブル６２の途中にはバラン６４を配設している。このようにして、受信アンテナ１３をスペクトラムアナライザ６１に電気的に接続している。
【００３８】
また、送信アンテナ７５を図示しない保持具を用いて立設し、その下端を接続部７３を介して同軸ケーブル７２の一端に接続している。この同軸ケーブル７２の他端をＳＳＧ７１に接続している。また、同軸ケーブル７２の途中にはバラン７４を配設している。このようにして、送信アンテナ７５をＳＳＧ７１に電気的に接続している。なお、送信アンテナ７５は、例えば１２ｃｍのアンテナ長を有する。
【００３９】
また、受信アンテナ１３に近接するように、付加アンテナ５を受信アンテナ１３から所定距離（例えば４ｃｍ）離間した位置に配置している。この付加アンテナ５は、送信アンテナからの電波をノイズと見立てて、そのノイズが受信アンテナ１３に及ぼす影響を軽減させるためのものである。この意味において、付加アンテナ５をノイズブロックアンテナということもできる。
【００４０】
図１０Ａ，図１０Ｂ及び図１０Ｃは、図９に示す測定条件で測定した結果を示す第２の変形例のレーダーチャートであり、縦軸は、受信アンテナ１３が受信した電波をスペクトラムアナライザ６１で測定したレベル（ｄＢμ）である。なお、付加アンテナ５のアンテナ長Ｌが１９ｃｍであり、また、付加アンテナ５、受信アンテナ１３及び送信アンテナ７５は、直径０．５ｍｍの銅線材である。
図１０Ａは、４７０ＭＨｚの測定結果であり、図１０Ｂは、６２０ＭＨｚの測定結果であり、図１０Ｃは、７７０ＭＨｚの測定結果である。また、図１０Ａ，図１０Ｂ及び図１０Ｃの実線は、付加アンテナ５を設けた場合の測定結果を示し、破線は、付加アンテナ５がない場合の測定結果を示している。
【００４１】
図１０Ａ，図１０Ｂ及び図１０Ｃに示すように、付加アンテナ５を設けた場合には、付加アンテナ５を設けない場合よりもノイズブロックがなされている。とりわけ、図１０Ｂに示す６２０ＭＨｚの場合に、付加アンテナ５を設ける効果が大きい。
また、図１０Ａ，図１０Ｂ及び図１０Ｃに示すように、送信アンテナ７５の側でノイズブロックの効果が最も大きい。
このように、付加アンテナ４のアンテナ長Ｌを固定とする構成であっても、所望の周波数帯を受信する際のノイズの影響を低減させることが可能である。
【００４２】
また、第３の変形例としては、付加アンテナ４の取り付け位置を受信アンテナ１３の取り付け位置に対して可変になるように構成することも考えられる。すなわち、本実施の形態では、付加アンテナ４の本体１ａへの取り付け位置は固定であるが、例えば、付加アンテナ４をスライド可能に本体１ａに取り付け、受信アンテナ１３に対する付加アンテナ４の位置を変えることにより、受信アンテナ１３の周波数特性を変更するように構成しても良い。
更に説明すると、第２の変形例と第３の変形例とを互いに組み合わせた構成も考えられる。すなわち、付加アンテナ４のアンテナ長Ｌを伸縮できないような構成にし、かつ、付加アンテナ４の取り付け位置を変えることができるような構成にする。
【図面の簡単な説明】
【００４３】
【図１】本実施の形態に係る受信装置をパソコンに接続した状態を示す斜視図である。
【図２】受信装置の受信アンテナで受信した電波の処理を説明するためのブロック図である。
【図３】図１に示すアンテナ構成を説明する概略構成図であり、（ａ）は、正面図であり、（ｂ）は、平面図である。
【図４Ａ】図３に示すアンテナ構成において付加アンテナのアンテナ長を変えた場合の受信アンテナの受信レベルを示すグラフであり、縦軸がスペアナレベル（ｄＢμ）、横軸が周波数（ＭＨｚ）である。
【図４Ｂ】図３に示すアンテナ構成において付加アンテナのアンテナ長を変えた場合の受信アンテナの受信レベルを示すグラフであり、縦軸がスペアナレベル（ｄＢμ）、横軸が周波数（ＭＨｚ）である。
【図４Ｃ】図３に示すアンテナ構成において付加アンテナのアンテナ長を変えた場合の受信アンテナの受信レベルを示すグラフであり、縦軸がスペアナレベル（ｄＢμ）、横軸が周波数（ＭＨｚ）である。
【図５】付加アンテナのアンテナ長とディップ点が現れる周波数との関係を示すグラフであり、縦軸が周波数（ＭＨｚ）、横軸が付加アンテナのアンテナ長Ｌ（ｍｍ）である。
【図６】図３に示すアンテナ構成において付加アンテナのアンテナ長を変えた場合のディップ点の周波数におけるスペアナレベルの比を示すグラフであり、縦軸が前後比（ｄＢ）、横軸が付加アンテナのアンテナ長（ｍｍ）である。
【図７】付加アンテナを配置しない場合の受信アンテナの受信レベルを示すグラフであり、縦軸がスペアナレベル（ｄＢμ）、横軸が周波数（ＭＨｚ）である。
【図８】第１の変形例に係る付加アンテナを説明する図であり、（ａ）は、付加アンテナを縮めた状態を示す図であり、（ｂ）は、付加アンテナを伸ばした状態を示す図である。
【図９】第２の変形例での測定条件を説明するための概略構成図である。
【図１０Ａ】図９に示す測定条件で測定した結果を示す第２の変形例のレーダーチャートである。
【図１０Ｂ】図９に示す測定条件で測定した結果を示す第２の変形例のレーダーチャートである。
【図１０Ｃ】図９に示す測定条件で測定した結果を示す第２の変形例のレーダーチャートである。
【符号の説明】
【００４４】
１…受信装置、１ａ…本体、１１…ＵＳＢコネクタ、１２…チューナ、１３…受信アンテナ、２…パソコン、２０…仮想ノイズアンテナ、２１…ＵＳＢポート、２２…ＣＰＵ、２３…記憶部、３，４，５…付加アンテナ、Ｄ１，Ｄ２…ディップ点、Ｌ…アンテナ長
【図１】
2008219840.tif 000003
【図２】
2008219840.tif 000004
【図３】
2008219840.tif 000005
【図４Ａ】
2008219840.tif 000006
【図４Ｂ】
2008219840.tif 000007
【図４Ｃ】
2008219840.tif 000008
【図５】
2008219840.tif 000009
【図６】
2008219840.tif 000010
【図７】
2008219840.tif 000011
【図８】
2008219840.tif 000012
【図９】
2008219840.tif 000013
【図１０Ａ】
2008219840.tif 000014
【図１０Ｂ】
2008219840.tif 000015
【図１０Ｃ】
2008219840.tif 000016
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
機器との連結が可能に構成され、当該機器に連結されると当該機器との電気的な接続を担うコネクタと、
前記機器に前記コネクタを介して出力する信号を受信する受信アンテナと、
前記コネクタと前記受信アンテナとの間の空間上に位置し、当該コネクタを介して接地され、当該受信アンテナの周波数特性を変更する付加アンテナと、
を含む受信装置。
【請求項２】
前記付加アンテナは、アンテナ長を可変に構成されていることを特徴とする請求項１に記載の受信装置。
【請求項３】
前記付加アンテナは、ヘリカルアンテナと当該ヘリカルアンテナに電気的に又は高周波的に接続されて伸縮可能なロッドアンテナとからなることを特徴とする請求項１に記載の受信装置。
【請求項４】
前記付加アンテナは、前記受信アンテナが受信する所定の電波の周波数に対応する長さに段階的に可変であることを特徴とする請求項１に記載の受信装置。
【請求項５】
前記付加アンテナのアンテナ長を変更することによって、当該付加アンテナが位置する方向とは反対の方向における前記受信アンテナのディップ点の周波数を変えることを特徴とする請求項１に記載の受信装置。
【請求項６】
ノイズ源を有する機器にコネクタを介して電気的に接続される装置本体と、
前記装置本体から突出して配設され、所定の電波を受信する受信アンテナと、
前記受信アンテナが前記装置本体から突出する位置よりも前記コネクタに近い位置で突出して配設され、当該コネクタを介して接地され、当該受信アンテナの周波数特性を変更する付加アンテナと、
を含む受信装置。
【請求項７】
装置本体と、
ノイズ源を有する機器に前記装置本体を電気的に接続するためのコネクタと、
前記装置本体から突出して配設され、前記コネクタを介して接地される付加アンテナと、
前記付加アンテナよりも前記コネクタと離間して位置して電波を受信し、かつ、当該付加アンテナにより周波数特性が変わる受信アンテナと、
を含む受信装置。
【請求項８】
前記付加アンテナは、アンテナ長が不変に構成されていることを特徴とする請求項７に記載の受信装置。
【手続補正２】
【補正対象書類名】明細書
【補正対象項目名】０００８
【補正方法】変更
【補正の内容】
【０００８】
かかる目的のもと、本発明が適用される受信装置は、機器との連結が可能に構成され、当該機器に連結されると当該機器との電気的な接続を担うコネクタと、前記機器に前記コネクタを介して出力する信号を受信する受信アンテナと、前記コネクタと前記受信アンテナとの間の空間上に位置し、当該コネクタを介して接地され、当該受信アンテナの周波数特性を変更する付加アンテナと、を含むものである。
【手続補正３】
【補正対象書類名】明細書
【補正対象項目名】００１０
【補正方法】変更
【補正の内容】
【００１０】
他の観点から捉えると、本発明が適用される受信装置は、ノイズ源を有する機器にコネクタを介して電気的に接続される装置本体と、前記装置本体から突出して配設され、所定の電波を受信する受信アンテナと、前記受信アンテナが前記装置本体から突出する位置よりも前記コネクタに近い位置で突出して配設され、当該コネクタを介して接地され、当該受信アンテナの周波数特性を変更する付加アンテナと、を含むものである。
【手続補正４】
【補正対象書類名】明細書
【補正対象項目名】００１１
【補正方法】変更
【補正の内容】
【００１１】
更に本発明を別の観点から捉えると、本発明が適用される受信装置は、装置本体と、ノイズ源を有する機器に前記装置本体を電気的に接続するためのコネクタと、前記装置本体から突出して配設され、前記コネクタを介して接地される付加アンテナと、前記付加アンテナよりも前記コネクタと離間して位置して電波を受信し、かつ、当該付加アンテナにより周波数特性が変わる受信アンテナと、を含むものである。